(57)【要約】      （修正有）【課題】製作及び使用が便利である使い捨て用の飲食物又はゴミやっとこを提供する。【解決手段】やっとこ１を製作するためのブランクは、第１支持部及び第１支持部と反対側に対向する位置に配置されたベース部を含み、第１支持部及びベース部のそれぞれに隣接して台形の第１カバー及び第３カバーが折り目を境界として配列され、第１支持部の両側には、折り目を境界として上部が流線形であり、下部が斜めに伸びた側面フラップと、切り目を境界として下方に伸びた長方形のバンドフラップとが連続して配列され、側面フラップとバンドフラップの境界には折り目が位置し、ベース部の両側には、折り目を境界として下部が流線形であり、上部が斜めに伸びた第３側面フラップと、切り目を境界として上方に伸びた長方形の第３バンドフラップとが連続して配列され、第３側面フラップと第３バンドフラップの境界には折り目が位置し、第１支持部の両側のバンドフラップとベース部の両側の第３バンドフラップは互いに連結されてそれぞれのバンドを形成する。【選択図】図１ｄ
0003213994.tif 000002
【実用新案登録請求の範囲】
【請求項１】
使い捨て用の飲食物又はゴミやっとこを製作するためのブランクであって、
前記ブランクは第１支持部、及び前記第１支持部と反対側に対向する位置に配置されたベース部を含み、
前記第１支持部及びベース部のそれぞれに隣接して台形の第１カバー及び第３カバーが折り目を境界として配列され、
前記第１支持部の両側には、折り目を境界として上部が流線形であり、下部が斜めに伸びた側面フラップと、切り目を境界として下方に伸びた長方形のバンドフラップとが連続して配列され、側面フラップとバンドフラップの境界には折り目が位置し、
前記ベース部の両側には、折り目を境界として下部が流線形であり、上部が斜めに伸びた第３側面フラップと、切り目を境界として上方に伸びた長方形の第３バンドフラップとが連続して配列され、第３側面フラップと第３バンドフラップの境界には折り目が位置し、
前記第１支持部の両側のバンドフラップと前記ベース部の両側の第３バンドフラップは互いに連結されてそれぞれのバンドを形成する、使い捨て用の飲食物又はゴミやっとこを製作するためのブランク。
【請求項２】
第１支持部と隣接して第１支持部と同じ方向に第１支持部と同じ構造の第２支持部、側面フラップ及びバンドフラップをさらに含む、請求項１に記載の飲食物又はゴミやっとこを製作するためのブランク。
【請求項３】
使い捨て用の飲食物又はゴミやっとこを製作するためのブランクであって、
前記ブランクは、台形の支持部と、前記支持部と折り目を境界として対称を成すカバー部とを含み、
前記カバー部の上部には、中央の折り目及び両側の切り目を境界として第１バンドフラップが形成され、
前記カバー部の両側面には連続する切り目及び折り目を境界として第２バンドフラップが形成され、
前記第１バンドフラップの両側には折畳のための折り目が形成され、第２バンドフラップの両側下部には折り目が形成されることによってそれぞれ第１バンド及び第２バンドが形成される、飲食物又はゴミやっとこを製作するためのブランク。
【請求項４】
請求項１〜３のいずれか一項に記載のブランクから製作される、使い捨て用の飲食物又はゴミやっとこ。
【請求項５】
使い捨て用の飲食物又はゴミやっとこであって、
指が挿入されるための空間を提供する第１指ぬき及び前記第１指ぬきと反対方向に位置する第３指ぬきを含み、
それぞれの指ぬきは、平面から見て、先端に行くほど幅が狭くなる台形であり、それぞれの指ぬきの側面は先端から内側に行くほど高さが高くなり、
第１指ぬきの後方には第１バンド、かつ第３指ぬきの後方には第３バンドがそれぞれの指ぬきの外部を取り囲むように形成され、
第１指ぬき及び第３指ぬきと隣接して、指の下部又は手の平を支持するためのそれぞれの延長部が形成された、使い捨て用の飲食物又はゴミやっとこ。
【請求項６】
前記第１指ぬきの第１バンドの後方及び前記第３指ぬきの第３バンドの後方にはそれぞれの第２バンドがさらに形成され、前記第１及び第３指ぬきの側面には通気孔が形成された、請求項５に記載の使い捨て用の飲食物又はゴミやっとこ。
【請求項７】
前記第１指ぬきと同一の第２指ぬきが前記第１指ぬきと隣接して同一方向にさらに配列された、請求項５又は６に記載の使い捨て用の飲食物又はゴミやっとこ。
【請求項８】
前記第１指ぬき及び第３指ぬきと隣接した延長部の両側面には指を支持してガイドするためのガイドがさらに形成された、請求項５又は６に記載の使い捨て用の飲食物又はゴミやっとこ。
【考案の詳細な説明】
【技術分野】
【０００１】
本考案は使い捨て用の飲食物又はゴミやっとこに関するもので、より詳しくは堅牢で便利な使い捨て用の飲食物又はゴミやっとこに関するものである。
【背景技術】
【０００２】
飲食物又はゴミを処理するに際して素手を使うことは非衛生的である。手袋を使っても手が汚れやすくて手袋の洗濯が煩わしい。多くの使い捨てビニル手袋が使われているが、手の全体を覆うため、滑らかで材料の浪費がひどく、手袋の交替なしに長時間使用する場合が多いため、非衛生的であり、手袋に染み込む水分によって指に湿疹のような皮膚疾患が発生するおそれがある。
【０００３】
本考案者は、韓国実用新案登録第２０−０４８２４８６号公報に、開放型の使い捨て飲食物やっとこで飲食物を摘むとき、中指、人差し指及び親指に装着して飲食物が直接手に触れないようにし、中指及び人差し指を一緒に取り囲むバンド部を形成した飲食物やっとこを提案した。
【０００４】
この考案は優れた機能にもかかわらず、構造及び製作が多少複雑な問題がある。本考案は前記考案を改良してもっと堅牢で便利な使い捨て用の飲食物又はゴミやっとこを開示する。
【先行技術文献】
【特許文献】
【０００５】
【特許文献１】韓国登録実用新案第２０−０４８２４８６号公報
【考案の概要】
【考案が解決しようとする課題】
【０００６】
したがって、本考案は、製作及び使用が便利であり、耐久性に優れた使い捨て用の飲食物又はゴミやっとこを提供することを目的とする。
【課題を解決するための手段】
【０００７】
前述した目的を達成するために、本考案の一実施例による使い捨て用の飲食物又はゴミやっとこを製作するためのブランクは、第１支持部、及び前記第１支持部と反対側に対向する位置に配置されたベース部を含み、前記第１支持部及びベース部のそれぞれに隣接して台形の第１カバー及び第３カバーが折り目を境界として配列され、前記第１支持部の両側には、折り目を境界として上部が流線形であり、下部が斜めに伸びた側面フラップと、切り目を境界として下方に伸びた長方形のバンドフラップとが連続して配列され、側面フラップとバンドフラップの境界には折り目が位置し、前記ベース部の両側には、折り目を境界として下部が流線形であり、上部が斜めに伸びた第３側面フラップと、切り目を境界として上方に伸びた長方形の第３バンドフラップとが連続して配列され、第３側面フラップと第３バンドフラップの境界には折り目が位置し、前記第１支持部の両側のバンドフラップと前記ベース部の両側の第３バンドフラップは互いに連結されてそれぞれのバンドを形成する。
【０００８】
前記ブランクは、第１支持部と隣接して第１支持部と同じ方向に第１支持部と同じ構造の第２支持部、側面フラップ及びバンドフラップをさらに含むことができる。
【０００９】
本考案の他の実施例による使い捨て用の飲食物又はゴミやっとこを製作するためのブランクは、台形の支持部と、前記支持部と折り目を境界として対称を成すカバー部とを含み、前記カバー部の上部には、中央の折り目及び両側の切り目を境界として第１バンドフラップが形成され、前記カバー部の両側面には連続する切り目及び折り目を境界として第２バンドフラップが形成され、前記第１バンドフラップの両側には折畳のための折り目が形成され、第２バンドフラップの両側下部には折り目が形成されることによってそれぞれ第１バンド及び第２バンドが形成される。
【００１０】
本考案のさらに他の実施例は、前記ブランクから製作される使い捨て用の飲食物又はゴミやっとこを提供する。
【００１１】
本考案のさらに他の実施例による使い捨て用の飲食物又はゴミやっとこは、指が挿入されるための空間を提供する第１指ぬき及び前記第１指ぬきと反対方向に位置する第３指ぬきを含み、それぞれの指ぬきは、平面から見て、先端に行くほど幅が狭くなる台形であり、それぞれの指ぬきの側面は先端から内側に行くほど高さが高くなり、第１指ぬきの後方には第１バンド、かつ第３指ぬきの後方には第３バンドがそれぞれの指ぬきの外部を取り囲むように形成され、第１指ぬき及び第３指ぬきと隣接して、指の下部又は手の平を支持するためのそれぞれの延長部が形成される。
【００１２】
前記第１指ぬきの第１バンドの後方及び前記第３指ぬきの第３バンドの後方にはそれぞれの第２バンドがさらに形成され、前記第１及び第３指ぬきの側面には通気孔が形成可能である。
【００１３】
前記第１指ぬきと同一の第２指ぬきが前記第１指ぬきと隣接して同一方向にさらに配列できる。
【００１４】
前記第１指ぬき及び第３指ぬきと隣接した延長部の両側面には指を支持してガイドするためのガイドがさらに形成可能である。
【考案の効果】
【００１５】
本考案によると、製作及び使用が簡便であり、耐久性に優れた衛生的な使い捨て用の飲食物又はゴミやっとこを提供することができる。
【００１６】
本考案によると、前記飲食物又はゴミやっとこを製作するためのブランクから使い捨て用の飲食物又はゴミやっとこを大量生産することができる。
【図面の簡単な説明】
【００１７】
【図１ａ】本考案の一実施例による使い捨て用の飲食物又はゴミやっとこを製作するためのブランクを示す平面図である。
【図１ｂ】図１ａのそれぞれのカバー及びフラップを切り目に沿って切り、折り目に沿って折り畳んだものを示した斜視図である。
【図１ｃ】図１ｂの折り目に沿って起立されてから折り目に沿って折り畳まれた第１バンドフラップと、同様に形成された第２バンドフラップとが対向することを示した斜視図である。
【図１ｄ】図１ａ〜図１ｃの製作過程によって出来上がった本考案の一実施例による使い捨て用の飲食物又はゴミやっとこの斜視図である。
【図２ａ】本考案の他の実施例による使い捨て用の飲食物又はゴミやっとこの斜視図である。
【図２ｂ】図２ａと類似しているが、第１指ぬきの幅を広く確張したものを示す図である。
【図２ｃ】図２ａの変形例による使い捨て用の飲食物又はゴミやっとこの斜視図である。
【図３ａ】本考案のさらに他の実施例による飲食物又はゴミやっとこを製作するためのブランクを示す平面図である。
【図３ｂ】図３ａのブランクから製作された本考案の他の実施例による使い捨て用の飲食物又はゴミやっとこの斜視図である。
【図４】本考案のさらに他の実施例による飲食物又はゴミやっとこの斜視図である。
【考案を実施するための形態】
【００１８】
本考案の目的及び効果、そしてそれらを達成するための技術的構成は添付図面に基づいて後で詳細に説明する実施例から明らかになるであろう。本考案の説明において、公知の機能又は構成についての具体的な説明が本考案の要旨を不必要にあいまいにすることができると判断される場合にはその詳細な説明を省略する。
【００１９】
明細書全般にわたり、ある部分がある構成要素を“含む”というとき、これは特に反対する記載がない限り、他の構成要素を排除するものではなくて他の構成要素をさらに含むことができることを意味する。
【００２０】
図１ａは本考案の一実施例による使い捨て用の飲食物又はゴミやっとこ１を製作するためのブランク１ａを示す。ブランク１ａは紙又は軟質プラスチックのような折畳可能な平板状の材料で製作される。
【００２１】
ブランク１ａは、第１支持部３ａ、第２支持部３ｂ、及び第１及び第２支持部３ａ、３ｂが左右に分岐される下部のベース部４ａを含む。第１支持部３ａ、第２支持部３ｂ及びベース部４ａのそれぞれに隣接して台形の第１カバー２ａ、第２カバー２ｂ及び第３カバー２ｃが折り目を境界として配列される。第１支持部３ａと第２支持部３ｂ及びその関連部材は対称なので、第１支持部３ａを主として説明する。
【００２２】
以下、本考案の明細書において、‘第１’、‘第２’、‘第３’の表現は構成の位置が確定されたことを意味するものでなく、ただ説明の便宜のためにそれぞれの実施例において他の構成と区分するために付与した用語であることに留意しなければならない。
【００２３】
第１支持部３ａの左側には、折り目２０ａを境界として上部が流線形であり、下部が斜めに伸びた第１側面フラップ６ａと、切り目２２ａを境界として下方に伸びた長方形の第１バンドフラップ８ａとが連続して配列される。
【００２４】
第１側面フラップ６ａと第１バンドフラップ８ａの境界には水平折り目と該水平折り目から伸びた傾斜折り目２４ａが位置する。第１バンドフラップ８ａの下部には接着領域３０ａが位置する。
【００２５】
第１支持部３ａの右側には、折り目３２ａを境界として上部が流線形であり、下部が斜めに伸びた第２側面フラップ１０ａと、切り目３４ａを境界として下方に伸びた長方形の第２バンドフラップ１２ａが連続して配列される。
【００２６】
第２側面フラップ１０ａと第２バンドフラップ１２ａの境界には水平折り目と該水平折り目から伸びた傾斜折り目２８ａが位置する。
【００２７】
ベース部４ａに連結される構成は第１支持部３ａと対称、つまり類似している。すなわち、ベース部４ａの左側には、折り目５４ａを境界として下部が流線形であり、上部が斜めに伸びた第３側面フラップ１４ａと、切り目５４ａを境界として上方に伸びた長方形の第３バンドフラップ１６ａが連続して配列される。
【００２８】
第３側面フラップ１４ａと第３バンドフラップ１６ａの境界には水平折り目と該水平折り目から伸びた傾斜折り目４８ａが位置する。第３バンドフラップ１６ａの上部には接着領域５２ａが位置する。
【００２９】
ベース部４ａの右側構造は左側と同様である。
【００３０】
図１ｂは図１ａのそれぞれのカバーとフラップを切り目に沿って切ってから折り目に沿って折り畳むことを示した斜視図である。
【００３１】
図１ｃは図１ｂの折り目２４ａに沿って起立されてから折り目２６ａに沿って折り畳まれた第１バンドフラップ８ａと、同様に折り目２８ａに沿って起立されてから折り目３６ａに沿って折り畳まれた第２バンドフラップ１２ａが対向することを示した斜視図である。二つのバンドフラップの形状は同一であるが、第１バンドフラップ８ａは接着領域３０ａをさらに含むので、接着領域３０ａによって両バンドフラップが接着されてバンドをなすことができる。バンドフラップは折り曲げられた第１カバー２ａの上面に折り曲げられて接着される。同様に、第２支持部３ｂ及びベース部４ａにおいてもそれぞれのカバーの上面にバンドフラップが折り曲げられて接着される。
【００３２】
図１ｄは以上の組立過程によって出来上がった本考案の一実施例による使い捨て用の飲食物又はゴミやっとこ１の斜視図である。
【００３３】
やっとこ１は、第１指ぬき２、第２指ぬき４及び第３指ぬき６を含む。それぞれの指ぬきは、平面から見て、端部に行くほど幅が狭くなる台形である。また、それぞれの側面フラップ６ａ、１０ａ、１４ａが流線形に斜めに形成された結果、指ぬきの側面が先端部から内側に行くほど高さが高くなるように形成されている。したがって、指ぬきによって形成された空間は人体の指を挿入するのに便利であり、空間内で指を動かすのに適合する。
【００３４】
第１指ぬき２に形成された第１バンド１６、第２指ぬき４に形成された第１バンド１８及び第３指ぬき６に形成された第１バンド１４は指ぬきに堅牢さを付与して毀損を防止し、形状を維持する役目をする。
【００３５】
第１指ぬき２、第２指ぬき４及び第３指ぬき６と隣接して略長方形の第１延長部１０、第２延長部１２及び第３延長部８が形成される。
【００３６】
第１指ぬき２には人差し指、第２指ぬき４には中指、第３指ぬき６には親指を挿入することができ、それぞれの延長部８、１０、１２は指の下部又は手の平を支持する役目をする。
【００３７】
本考案の一実施例による使い捨て用の飲食物又はゴミやっとこ１は紙又は軟質プラスチックのようなブランク１ａから大量製作することができる利点がある。
【００３８】
図２ａは本考案の他の実施例による使い捨て用の飲食物又はゴミやっとこ１の斜視図である。これは前述した実施例と同一であるが、第１指ぬき２を除去した点が違う。この場合、二つの指を第２指ぬき４と第３指ぬき６に挿入して使うことができる。これとは違い、第２指ぬき４を除去して第１指ぬき２と第３指ぬき６のみを残す変形も可能である。図２ａの実施例は、例えば親指と人差し指を活用する場合に有用である。
【００３９】
また、図２ｃのように第３指ぬき６と対向する第２指ぬき４を第３指ぬき６と同じ長手方向に配置する変形例も可能である。この変形例は、指、特に親指を広げてやっとこ形状にした場合、親指と正反対方向に対向する中指を親指と一緒に活用する場合に特に有用である。
【００４０】
図２ｂは図２ａと類似しているが、第１指ぬき２の幅を広く確張した点で違う。したがって、第１指ぬき２には、例えば親指を除いた四つの指が挿入できる。この場合、全ての指を活用して飲食物又はゴミの処理に強い力を加えることができる点で有利である。
【００４１】
図３ａは本考案のさらに他の実施例による使い捨て用の飲食物又はゴミやっとこ１を製作するためのブランク１ａを示す。ブランク１ａは紙又は軟質プラスチックのような折畳可能な平板状の材料で製作される。前述した実施例と違う点は一つの指ぬきに二つのバンドを形成して強度を補強したことである。
【００４２】
ブランク１ａは、台形の支持部１０３ａと、該支持部１０３ａと折り目１１０ａを境界として対称を成すカバー部１２０ａとを含む。カバー部１２０ａの上側には、中央の折り目１０８ａとその両側の切り目１１２ｂを境界として第１バンドフラップ１０４ａが形成され、側面には連続する切り目１１２ａ及び折り目１１４ａを境界として第２バンドフラップ１０５ａが形成されている。第１バンドフラップ１０４ａの両側には折畳のための折り目１０６ａが形成され、第２バンドフラップ１０５ａの下部には水平及び傾斜折り目１１８ａが形成されている。
【００４３】
この状態で、まず折り目１１４ａを除き、切り目１１２ｂ及び切り目１１２ａに沿って両側の第２バンドフラップ１０５ａを分離し、折り目１０８ａを基準に第１バンドフラップ１０４ａを外側方向に、つまり紙面に向かう方向に折る。ついで、カバー部１２０ａを折り目１１０ａを基準に内側方向に、つまり紙面から外に出る方向に折る。これにより、指ぬき１０２と第１バンド１０４の全体フレームが出来上がる。ついで、両側の第２バンドフラップ１０５ａを折り目１１８ａを基準に起立させてからカバー部１２０ａの上面に折り曲げれば、第２バンドフラップ１０５ａの両端が接触し、図示しない接着領域に塗布された接着剤によって接着されて第２バンド１０６が出来上がる。第２バンド１０６は第１バンド１０４の直後に位置する。
【００４４】
図３ｂは以上のような組立過程によって出来上がった本考案の実施例による使い捨て用の飲食物又はゴミやっとこ１の斜視図で、指ぬき１０２の後方に第１バンド１０４と第２バンド１０６が形成されている。当然、第１バンド１０４は単層構造であり、第２バンド１０６は指ぬき１０２の下面から伸びた２層の構造を有する。図３ａでは前述した実施例のような側面フラップが存在しないので、図示のやっとこ１の側面には通気のための開口１０８が形成されている。
【００４５】
図３ｂでは、便宜上、指ぬき１０２と位置及び形状が対称である他の一つの指ぬきが形成された場合、つまり二つの指を用いる場合を示した。しかし、これは一例であるだけ、前記二重バンド構造は図２ａの実施例はもちろんのこと、三つの指を用いる図１ｄ又は五つの指を用いる図２ｃの実施例にもそのまま適用することができるのは自明である。
【００４６】
図４は本考案のさらに他の実施例による使い捨て用の飲食物又はゴミやっとこ１の斜視図である。
【００４７】
やっとこ１は図１ａのブランク１ａと基本的に同じブランク１ａで製作されるが、第１支持部３ａの左側に、第１バンドフラップ８ａが上側に位置し、下部には第１側面フラップ６ａと形状は似ているが機能が違う補強フラップが設けられる点で違う。
【００４８】
この場合、やっとこ１は図１ｄのやっとこと類似しているが、第１指ぬき２、第２指ぬき４及び第３指ぬき６の下側に起立したそれぞれのガイド２０２、２０４、２０６が設けられ、側面フラップが存在しないので、それぞれの指ぬきに通気のための開口２０８が形成される点が違う。このような構造は指ぬきに挿入されない指の部分を案内して支持する点で有利である。
【００４９】
当業者であれば、図４のようなガイド構造を図２及び図３に示す他の実施例にも適用することができるのが理解可能であろう。
【００５０】
以上、本考案の特定実施例について説明したが、本考案は他の多様な形態に具現可能である。実施例は本考案の開示を完全にし、本考案が属する技術分野で通常の知識を有する者に考案の範疇を完全に知らせるために提供するものであり、本考案は特許請求範囲に記載した請求項によって定義される。
【符号の説明】
【００５１】
１    飲食物又はゴミやっとこ
１ａ    ブランク
２ａ    第１カバー
２ｂ    第２カバー
２ｃ    第３カバー
３ａ    第１支持部
３ｂ    第２支持部
４ａ    ベース部
【図１ａ】
0003213994.tif 000003
【図１ｂ】
0003213994.tif 000004
【図１ｃ】
0003213994.tif 000005
【図１ｄ】
0003213994.tif 000006
【図２ａ】
0003213994.tif 000007
【図２ｂ】
0003213994.tif 000008
【図２ｃ】
0003213994.tif 000009
【図３ａ】
0003213994.tif 000010
【図３ｂ】
0003213994.tif 000011
【図４】
0003213994.tif 000012